(57)【特許請求の範囲】
【請求項１】
給油量を計測する流量計と、該流量計の計測値に基づいて給油量を表示する表示装置とを備える給油装置であって、
前記流量計による給油量の計測値と、該給油装置の外部で計測した該給油量の真値とに基づいて算出した器差係数を用い、前記流量計の器差調整を電子的に行う器差調整手段とを備え、
前記器差係数を算出する際の給油量を複数の給油量の中から選択可能とし、
前記器差調整手段は、前記器差係数の算出を所定回数だけ行って得られる複数の器差係数候補値、及び該複数の器差係数候補値の平均値の中から選択された値を前記器差係数とすることを特徴とする給油装置。
【請求項２】
前記器差調整手段は、前記流量計による給油量の計測値に対して前記器差計数を乗算する計数手段と、該計数手段の演算結果を前記表示装置に表示させるように制御する制御手段とを備えることを特徴とする請求項１に記載の給油装置。
【請求項３】
前記器差調整手段による器差係数算出モードと、給油モードとを切り換える切換スイッチと、
該切換スイッチを封印するカバーとを備えることを特徴とする請求項１又は２に記載の給油装置。
【請求項４】
前記切換スイッチを作動させるためのパスワードを記憶するパスワード記憶手段と、
入力されたパスワードの正誤を判断する判断手段とを備えることを特徴とする請求項３に記載の給油装置。
【発明の詳細な説明】
【技術分野】
【０００１】
本発明は、自動車等の車両に燃料油を供給する給油装置に関し、特に、流量計の器差を調整する機能を有する給油装置に関する。
【背景技術】
【０００２】
給油所に設置されている給油装置は、公正な商取引を保つために５年毎の流量検定が義務付けられ、流量計の器差が±０．５％以内であることが要求されている。そこで、燃料油を送り出すシリンダー室内に配置されるピストンのストロークの容積（１ストローク当たりの流量）を調整することで、流量計の器差を調整する調整ダイアルを備えた給油装置が知られている。
【０００３】
しかし、素人が流量計の器差調整や分解等を行うと流量計の精度を維持することができなくなり、さらに精度を故意に変更して不正をする虞もある。そこで、計器を封印し、封印を壊さなければ調整や分解を行うことができないようにしている。
【０００４】
上記流量計の器差調整は、シリンダー室内のピストンのストロークの容積（１ストローク当たりの流量）を調整ダイアルを左右に回して変化させることで行われるが、調整ピッチより細かな調整を行うことができなかった。さらに、この調整ダイアルは、シリンダー室の側蓋を貫通するように構成されているため、その貫通部より燃料油が漏洩する虞があった。
【０００５】
そこで、本出願人は、特許文献１において、より微細な調整を行うことができ、燃料油の漏洩等を起こすこともなく、流量計の器差の判定及び調整を自動的に行うことのできる給油装置として、流量計に設けたパルス発信器からの流量パルスと、記憶手段に記憶されている器差係数とで給油量を演算する給油制御装置と、給油制御装置で演算された給油量を表示する表示装置とを設けた給油装置において、流量計の吐出口を制御弁を介して検査用流量計に接続し、制御弁を開き、流量計の計量値と検査用流量計の計量値により器差係数を演算し、演算された器差係数を記憶手段に更新記憶する検査モード実行手段を備える給油装置を提案した。
【先行技術文献】
【特許文献】
【０００６】
【特許文献１】特開２０００−３３５６９７号公報
【発明の概要】
【発明が解決しようとする課題】
【０００７】
上記特許文献１に記載の給油装置は有効であるが、内蔵している器差枡の容積は国毎に異なるため、国毎に器差枡の容積の異なる給油装置を製造しなければならなかった。また、内蔵された器差枡が故意に破壊される場合もあり、その場合には、器差設定を行うこと自体不可能となる虞もあった。
【０００８】
さらに、上記給油装置では、器差調整度基盤を封印しているが、この封印が解かれてしまった場合には、器差が不正に変更されてしまう虞があった。
【０００９】
そこで、本発明は、微細な調整を行うことができると共に、国毎に定められた器差桝の容積にも対応することでき、器差の改ざん防止をより確実に行うことのできる給油装置を提供することを目的とする。
【課題を解決するための手段】
【００１０】
上記目的を達成するため、本発明は、給油装置であって、給油量を計測する流量計と、該流量計の計測値に基づいて給油量を表示する表示装置とを備える給油装置であって、前記流量計による給油量の計測値と、該給油装置の外部で計測した該給油量の真値とに基づいて算出した器差係数を用い、前記流量計の器差調整を電子的に行う器差調整手段とを備え、前記器差係数を算出する際の給油量を複数の給油量の中から選択可能とし、前記器差調整手段は、前記器差係数の算出を所定回数だけ行って得られる複数の器差係数候補値、及び該複数の器差係数候補値の平均値の中から選択された値を前記器差係数とすることを特徴とする。
【００１１】
そして、本発明によれば、給油装置の外部で計測した給油量の真値を用いると共に器差係数を算出する際の給油量を選択可能とするため、器差調整のための給油量を変更することができ、国毎に定められた器差枡の容積に容易に対応することができ、また、流量計の器差調整を電子的に行うことで、微細な調整を行うことも可能となる。
【００１２】
上記給油装置において、前記器差調整手段は、前記流量計による給油量の計測値に対して前記器差計数を乗算する計数手段と、該計数手段の演算結果を前記表示装置に表示させるように制御する制御手段とを備えることができる。
【００１３】
また、上記給油装置において、前記器差調整手段による器差係数算出モードと、給油モードとを切り換える切換スイッチと、該切換スイッチを封印するカバーとを備えることができる。これによって、切換スイッチを機械的に封印することができ、権限のない者が流量計を調整したり、分解したりすることで、流量計の精度が低下したり、故意に精度を変えて不正を行うことを防止することができる。
【００１４】
さらに、前記切換スイッチを作動させるためのパスワードを記憶するパスワード記憶手段と、入力されたパスワードの正誤を判断する判断手段とを備えることができ、器差の改ざん防止をより確実に行うことが可能となる。
【発明の効果】
【００１５】
以上のように、本発明によれば、微細な調整を行うことができると共に、国毎に定められた器差桝の容積にも容易に対応することでき、器差の改ざん防止をより確実に行うことのできる給油装置を提供することができる。
【図面の簡単な説明】
【００１６】
【図１】本発明に係る給油装置の一実施の形態を示す概略図である。
【図２】図１に示す切換スイッチを封印した状態を示す概略図であって、（ａ）は封印部の拡大図、（ｂ）は封印部の断面図である。
【図３】図１に示す器差調整装置等を示すブロック図である。
【図４】図１に示す給油装置の動作を示すフローチャートである。
【発明を実施するための形態】
【００１７】
次に、本発明を実施するための形態について図面を参照しながら詳細に説明する。
【００１８】
図１は、本発明に係る給油装置の一実施の形態を示し、給油装置１のハウジング２内の給油管３は、貯油タンク４に接続され、給油管３には、モータ５で駆動されるポンプ６と、流量パルス発信器７を有する流量計８とが介装されている。給油管３に接続された給油ホース１０の先端には給油ノズル１１が接続され、給油ノズル１１を掛けるノズル掛け１２にはノズルスイッチ１３が設けられている。
【００１９】
ハウジング２には、給油モードと、器差調整モードとを切り替える切換スイッチ１４と、報知器１５と、表示装置１６と、上述した各機器に信号線で接続された器差調整装置（器差調整手段）３０とが設けられている。報知器１５は表示装置に設けることもでき、単独の報知器とすることもできる。
【００２０】
一方、給油装置１の外部には、検査用流量計２０が配置され、この検査用流量計２０の本体は、底が漏斗状をした器差桝２１であって、液面計２２を備える。器差桝２１の下端は、開閉弁２３及び流出管２４を介して貯油タンク４に接続され、器差桝２１の上部は、エアー管２５を介して貯油タンク４に接続される。検査用流量計２０は、流出管２４及びエアー管２５から容易に取り外し可能に設けられ、検査用流量計２０を用いて器差調整を行う際に設置し、それ以外の場合は取り外した状態とすることができる。この検査用流量計２０による計量値が真値となる。
【００２１】
図２に示すように、器差調整装置３０の基板９の切換スイッチ１４は、樹脂製の第１カバー１７と、鋼製の第２カバー１８によって封印（封印部１９）されているため、権限のある特定の者だけが操作できる。また、封印が解除されたか否かを検出するセンサ（不図示）が設けられる。さらに、切換スイッチ１４には、パスワードが設定され、リモコン（不図示）によってパスワードが入力されない限り、給油モードと、器差調整モードの切換を行うことができないように構成される。
【００２２】
図３に示すように、器差調整装置３０には、切換スイッチ１４を作動させるためのパスワードを記憶するパスワード記憶手段３１と、リモコンによって入力されたパスワードの正誤を判断する判断手段３２と、切換スイッチ１４の封印が破られた際に報知器１５を駆動する報知器駆動手段３３とが設けられる。これにより、上述のように、器差係数が不正に設定されることをより確実に防止することができる。
【００２３】
また、この器差調整装置３０には、計時手段３４と、前回算出された器差係数を記憶する器差係数記憶手段３５と、ノズルスイッチ１３、流量計８及び検査用流量計２０に接続される計数手段３６と、計数手段３６によって、流量計８からの流量に器差係数を積算して得られた積算量を記憶する積算量記憶手段３７とが設けられる。この器差係数記憶手段３５は、計時手段３４に接続されているため、器差係数が更新された日時と共に器差係数を記憶する。また、器差係数が変更された変更履歴も記憶している。これにより、不正な器差係数が設定されていないか監視することができる。尚、図示を省略するが、器差調整装置３０には、計数手段３６によって得られ、積算量記憶手段３７に記憶された積算量を表示装置１６に表示させるように制御する制御手段が設けられる。
【００２４】
さらに、この器差調整装置３０には、計数手段３６によって計数された数値から新規の器差係数を算出する演算手段３８と、演算手段３８によって算出された器差係数候補値を記憶する器差係数候補値記憶手段３９と、器差係数記憶手段３９及び器差係数候補値記憶手段３９から新たに設定する器差係数を選択する選択手段４０とが設けられる。ここで、器差係数候補値は、例えば、計測及び演算を３回行った場合には、１回目、２回目、３回目の各々の演算値と、３回の平均演算値等とすることができる。
【００２５】
次に、上記構成を有する給油装置の動作について、主に図４を参照しながら説明する。
【００２６】
まず、ステップＳ１において、切換スイッチ１４が押下されたか否かを判定し、切換スイッチ１４が押下された場合には（ステップＳ１：Ｙｅｓ）、報知器１５を介して封印が外れたことを報知する（ステップＳ２）。一方、ステップＳ１において、切換スイッチ１４が押下されていない場合には（ステップＳ１：Ｎｏ）、切換スイッチ１４が押下されるまで待機する。
【００２７】
ステップＳ３において、切換スイッチ１４の切換動作を許容するパスワードが入力されたか否かを判定する。パスワードの入力が行われた場合には（ステップＳ３：Ｙｅｓ）、ステップＳ４において、パスワードの正誤が判定される。そして、パスワードが正しく入力された場合には（ステップＳ４：Ｙｅｓ）、報知器１５の報知を停止する（ステップＳ５）。一方、ステップＳ３においてパスワードが入力されていない場合には（ステップＳ３：Ｎｏ）、パスワードが入力されるまで報知器１５を作動させながら待機する。また、ステップＳ４において、パスワードが誤っている場合には（ステップＳ４：Ｎｏ）、報知器１５の報知音を変更するなどして、入力されたパスワードが誤っていることを作業員に知らせ（ステップＳ１６）、動作を終了する。
【００２８】
次に、器差係数を算出する際の給油量を選択する（ステップＳ６）。ここで選択される給油量は、例えば、１Ｌ、２Ｌ、５Ｌ、１０Ｌ及び２０Ｌから選択することができる。これにより、海外においても各国における器差係数算出時の給油量に対応することができる。
【００２９】
ステップＳ７において、ノズルスイッチ１３のオン／オフが判定され、ノズルスイッチ１３がオンとなった場合には（ステップＳ７：Ｙｅｓ）、表示装置１６に、器差係数の算出を行うノズル番号及び給油量を表示する（ステップＳ８）。
【００３０】
そして、ステップＳ９において、流量計８及び検査用流量計２０から流量パルスが入力されたか否かを判定し、両装置から流量パルスが入力された場合には（ステップＳ９：Ｙｅｓ）、ステップＳ１０において、ノズルスイッチ１３がオフとなったか否かを判定し、ノズルスイッチ１３がオフとなった場合には（ステップＳ１０：Ｙｅｓ）、流量計８及び検査用流量計２０からの流量パルスにより器差係数の演算を行う（ステップＳ１１）。一方、ステップＳ９において、流量計８及び検査用流量計２０から流量パルスが入力されていない場合や（ステップＳ９：Ｎｏ）、ステップＳ１０において、ノズルスイッチ１３がオフとなっていない場合には（ステップＳ１０：Ｎｏ）、これらの動作が行われるまで待機する。
【００３１】
ステップＳ１１において、新規器差係数は、次式により求めることができる。
【００３２】
器差係数＝検査用流量計２０による計量値（真値）／表示装置１６の表示値
例えば、検査用流量計２０による計量値が１０Ｌで、表示装置１６の表示値が９．９８Ｌの場合には、器差係数＝１０Ｌ／９．９８Ｌ＝１．００２となる。
【００３３】
次に、ステップＳ１２において、器差係数の演算回数Ｎが、所定の回数ｎ１（例えば、ｎ１＝３）にとなったか否かを判定し、Ｎ＝ｎ１になった場合には（ステップＳ１２：Ｙｅｓ）、器差係数候補値を表示装置１６に表示する(ステップＳ１３)。一方、ステップＳ１２において、器差係数の演算回数Ｎが所定の回数ｎ１になっていない場合には、Ｎ＝ｎ１になるまで待機する。
【００３４】
ステップＳ１４において、作業員が表示装置１６に表示された器差係数候補値の中から、１つの器差係数候補値が選択したか否かを判定し、作業員が選択した場合には（ステップＳ１４：Ｙｅｓ）、設定が完了した旨を知らせる通知を表示装置１６に表示して動作を終了する（ステップＳ１５）。一方、ステップＳ１４において、選択が行われていない場合には（ステップＳ１４：Ｎｏ）、選択が行われるまで待機する。以上説明した動作を、給油装置１に設けられた給油ノズル１１の数だけ繰り返し行う。
【００３５】
尚、上記実施の形態においては、パスワードの入力をリモコンで行うと説明したが、これに限らず、給油装置１にキーボードや、テンキーを設けて、これらからパスワードを入力してもよい。
【００３６】
また、上記実施の形態においては、器差調整装置３０によって器差係数を自動的に変更したが、これに限らず、検査用流量計２０で測定した流量（真値）を用いて手動で器差係数を算出し、器差調整装置３０に手動で入力してもよい。
【００３７】
以上のように、本実施の形態によれば、器差調整装置３０によって流量計８の器差調整を電子的に行うことで、微細な調整を行うことができると共に、給油装置１に設けられた給油ノズル１１の数だけ繰り返し器差調整を行った後、封印することで、従来は流量計８の個数分封印作業が必要となったが、本発明では、封印作業を行うのは１カ所で済むため、作業の軽減を図ることができる。
【符号の説明】
【００３８】
１  給油装置
２  ハウジング
３  給油管
４  貯油タンク
５  モータ
６  ポンプ
７  パルス発信器
８  流量計
９  基板
１０  給油ホース
１１  給油ノズル
１２  ノズル掛け
１３  ノズルスイッチ
１４  切換スイッチ
１５  報知器
１６  表示装置
１７  第１カバー
１８  第２カバー
１９  封印部
２０  検査用流量計
２１  器差桝
２２  液面計
２３  戻し弁
２４  流出管
２５  エアー管
３０  器差調整装置
３１  パスワード記憶手段
３２  判断手段
３３  報知器駆動手段
３４  計時手段
３５  器差係数記憶手段
３６  計数手段
３７  積算量記憶手段
３８  演算手段
３９  器差係数候補値記憶手段
４０  選択手段
【図１】
0005630479.tif 000002
【図２】
0005630479.tif 000003
【図３】
0005630479.tif 000004
【図４】
0005630479.tif 000005